(57)【要約】【課題】情報媒体処理装置を備えた遊技媒体貸出機もしくは遊技媒体精算機において、個別の機器の汎用性を著しく高めて現地における装置構成の変更を容易にする。また、制御の情報漏洩に係る被害を防止する。【解決手段】制御部２５と、この制御部２５の制御に係る情報を記憶する記憶部２６とを備え、情報媒体処理装置１０は、特定情報が書き込まれたマスター情報媒体２を受け入れて、このマスター情報媒体２の特定情報を読み込み部において読み取るものであり、記憶部２６は、この読み込み部において読み取られた特定情報を記憶するものであり、制御部２５は、この記憶部２６に記憶された特定情報に基づいて制御を行う。【選択図】図１
2007135889.tif 000002
【特許請求の範囲】
【請求項１】
情報を記憶した情報媒体を受け入れる情報媒体受け入れ口と、この情報媒体に記憶された情報を読み込み可能な読み込み部とを有する情報媒体処理装置と、
この情報媒体処理装置において受け入れた情報媒体から読み込まれた情報に基づいて遊技媒体の払い出しを行う遊技媒体貸出機、もしくは遊技媒体の精算を行う遊技媒体精算機であって、
これら遊技媒体貸出機もしくは遊技媒体精算機を制御する制御部と、
この制御部の制御に係る情報を記憶する記憶部と、
を備え、
上記情報媒体処理装置は、特定情報が書き込まれたマスター情報媒体を受け入れて、このマスター情報媒体の特定情報を読み込み部において読み取るものであり、
上記記憶部は、この読み込み部において読み取られた特定情報を記憶するものであり、
上記制御部は、この記憶部に記憶された特定情報に基づいて遊技媒体貸出機もしくは遊技媒体精算機の制御を行うものであることを特徴とする遊技媒体貸出機もしくは遊技媒体精算機。
【請求項２】
上記特定情報は、遊技媒体の払い出しもしくは遊技媒体の精算を許容する条件を示す許容情報を含み、
上記制御部は、情報媒体処理装置の読み込み部に受け入れた情報媒体から読み込まれた情報と記憶部に記憶された特定情報の許容情報とを比較して、情報媒体から読み込まれた情報が許容情報に基づくものでない場合は、情報媒体を返却して遊技媒体の払い出しもしくは遊技媒体の精算を制限するものであることを特徴とする請求項１に記載の遊技媒体貸出機もしくは遊技媒体精算機。
【請求項３】
上記許容情報は、遊技媒体貸出機もしくは遊技媒体精算機の置かれた店の識別情報を示す店別分類コードを含んでいることを特徴とする請求項２に記載の遊技媒体貸出機もしくは遊技媒体精算機。
【請求項４】
上記情報媒体処理装置は、情報媒体受け入れ口から受け入れた情報媒体に、記憶部が記憶している特定情報に対応した情報を書き込み可能な書き込み部と、
この特定情報に対応した情報を書き込んだ情報媒体を排出可能な排出部とを備え、
上記制御部は、情報媒体処理装置の読み込み部に受け入れた情報媒体から読み込まれた情報と記憶部に記憶された許容情報とを比較して、情報媒体から読み込まれた情報が、情報媒体処理装置の書き込み部で書き込まれた許容情報に対応した情報と一致しない場合は、情報媒体を返却して遊技媒体の払い出しもしくは遊技媒体の精算を制限するものであることを特徴とする請求項２または請求項３のいずれかに記載の遊技媒体貸出機もしくは遊技媒体精算機。
【請求項５】
上記特定情報は、マスター情報媒体が更新されたことを示す更新情報を含み、
上記制御部は、情報媒体処理装置の読み込み部に受け入れたマスター情報媒体から読み取られた特定情報の更新情報と記憶部に記憶された特定情報の更新情報とを比較して、読み取られた特定情報の更新情報が、記憶部に記憶された特定情報の更新情報よりも古い情報に基づくものである場合は、読み取られた特定情報を無効にし、記憶部に記憶された特定情報を更新しないものであることを特徴とする請求項１ないし請求項４のいずれかに記載の遊技媒体貸出機もしくは遊技媒体精算機。
【請求項６】
上記制御部は、情報媒体処理装置の読み込み部に受け入れたマスター情報媒体の特定情報を読み込んでから経過した時間を計数する計時手段を備え、
この計時手段の計数した時間が所定の時間を超えた場合は、再び、情報媒体処理装置の読み込み部に受け入れたマスター情報媒体からの特定情報の読み込みが無い限り、情報媒体を返却して遊技媒体の払い出しもしくは遊技媒体の精算を制限するものであることを特徴とする請求項１ないし請求項５のいずれかに記載の遊技媒体貸出機もしくは遊技媒体精算機。
【請求項７】
紙幣を受け入れる紙幣受け入れ口を有して受け入れた紙幣を識別可能な紙幣識別装置を備え、
上記制御部は、この紙幣識別装置をさらに制御するものであり、
上記特定情報は、上記制御部が制御する紙幣識別装置の構成に係る情報を含んでいることを特徴とする請求項１ないし請求項６のいずれかに記載の遊技媒体貸出機もしくは遊技媒体精算機。
【請求項８】
情報媒体は、ＩＣコイン、ＩＣカード、磁気カード、のいずれかであることを特徴とする請求項１ないし請求項７のいずれかに記載の遊技媒体貸出機もしくは遊技媒体精算機。
【発明の詳細な説明】
【技術分野】
【０００１】
本発明は、例えばゲームセンターのスロットマシンなどの遊技機に併設される遊技媒体貸出機と遊技媒体精算機とに関するものである。
【背景技術】
【０００２】
ゲームセンターのスロットマシンなどの遊技機に併設される遊技媒体貸出機として、紙幣識別装置を備えたものが一般に知られている。
【０００３】
例えば、特許文献１には、機体下方に紙幣を受け取る紙幣投入部が設けられ、この紙幣投入部に、投入された紙幣の金額に応じて、遊戯媒体、例えばメダルがメダル用ホッパからメダル受け皿に払い出されるようになっているメダル貸機の技術が開示されている。
【０００４】
しかしながら、上述の特許文献１に開示されたメダル貸機の技術では、紙幣の投入が煩わしいという問題があった。
【０００５】
そこで最近では、紙幣識別装置を高額化しようとする傾向と、ＩＣコインと交換に遊技媒体を貸し出す遊技媒体貸出機として、ＩＣタグを担持してなるＩＣコインに情報を読み書き可能なＩＣコイン処理装置を備えたものを特許文献１のタイプの遊技媒体貸出機に追加しようとする傾向が高まっている。
【０００６】
例えば、特許文献２には、回動可能な保持回動体の円周上の位置にＩＣコインを保持可能な複数の保持部を形成するとともに、この保持部の回転軌跡上の所定位置にＩＣコインと非接触状態で通信を行う通信手段を対設したＩＣコイン処理装置の技術が開示されている。
【特許文献１】特開平１−２９１８８４号公報
【特許文献２】特開２００１−３２７７４７号公報
【発明の開示】
【発明が解決しようとする課題】
【０００７】
しかしながら、上述の特許文献１に開示されたメダル貸機や特許文献２に開示されたＩＣコイン処理装置は、既存の古いタイプの遊技媒体貸出機を取り替えたり、既存の古いタイプの遊技媒体貸出機に、新しくＩＣコイン処理装置を追加しようとする場合、個別の機器の汎用性が低く、現地において装置構成の変更と、変更された装置構成の制御に係る条件の設定変更を行うことが簡単にできないという問題があった。
【０００８】
また、特許文献１に開示されたメダル貸機や特許文献２に開示されたＩＣコイン処理装置を備えた遊技媒体貸出機は、あらかじめ工場などで制御に係る重要な条件の設定を行う必要があり、各機器が設置された現地において、重要な条件の設定を行うことが簡単でなかった。その結果、定期的に店舗情報、管理情報などの特定情報に基づいて制御に係る重要な条件の設定変更を行うことが困難となり、これら重要な条件の情報漏洩に係る被害を防止することに限界があるという問題があった。
【０００９】
また、一部の機器が盗難の被害にあった場合には、重要な条件の情報漏洩が発生し、条件の設定変更を行うのに時間がかかっていると、さらに被害を拡大することになるという不具合があった。
【００１０】
本発明は上記不具合に鑑みてなされたものであり、個別の構成機器の汎用性を著しく高めることができるだけでなく、現地において装置構成の変更と、変更された装置構成の制御に係る条件の設定変更を容易に行うことができる遊技媒体貸出機と遊技媒体精算機とを提供することを課題としている。
【００１１】
また、各機器が設置された現地で定期的に店舗情報、管理情報などの特定情報に基づいて、制御に係る重要な条件の設定変更を行うことにより、これら重要な条件の情報漏洩に係る被害を防止することができ、また、一部の機器が盗難の被害にあった場合でも、現地でその他の機器の条件の設定変更をして、重要な条件の情報漏洩に係るそれ以上の被害を防止することができるようになる遊技媒体貸出機と遊技媒体精算機とを提供することを課題としている。
【課題を解決するための手段】
【００１２】
上記課題を解決するための本発明に係る遊技媒体貸出機もしくは遊技媒体精算機は、情報を記憶した情報媒体を受け入れる情報媒体受け入れ口と、この情報媒体に記憶された情報を読み込み可能な読み込み部とを有する情報媒体処理装置と、この情報媒体処理装置において受け入れた情報媒体から読み込まれた情報に基づいて遊技媒体の払い出しを行う遊技媒体貸出機、もしくは遊技媒体の精算を行う遊技媒体精算機であって、これら遊技媒体貸出機もしくは遊技媒体精算機を制御する制御部と、この制御部の制御に係る情報を記憶する記憶部と、を備え、上記情報媒体処理装置は、特定情報が書き込まれたマスター情報媒体を受け入れて、このマスター情報媒体の特定情報を読み込み部において読み取るものであり、上記記憶部は、この読み込み部において読み取られた特定情報を記憶するものであり、上記制御部は、この記憶部に記憶された特定情報に基づいて遊技媒体貸出機もしくは遊技媒体精算機の制御を行うものであることを特徴とする遊技媒体貸出機もしくは遊技媒体精算機である。
【００１３】
本発明に係る遊技媒体貸出機もしくは遊技媒体精算機によれば、情報媒体処理装置の読み込み部がマスター情報媒体の特定情報を読み取り、記憶部が読み取られた特定情報を記憶する。そして、制御部が、この記憶された特定情報に基づいて遊技媒体貸出機もしくは遊技媒体精算機の制御を行うので、あらかじめ工場などで制御に係る条件の設定を行う必要がなくなり、各機器が設置された現地において、マスター情報媒体を介してこれらの制御に係る条件の設定を行うことができるようになる。
【００１４】
その結果、個別の機器の汎用性を著しく高めることができるようになり、現地における装置構成の変更が容易になる。
【００１５】
また、現地において制御に係る条件の設定を行うことができるようになる結果、現地で定期的に店舗情報、管理情報などの特定情報に基づいて、制御に係る重要な条件の設定変更を行うことにより、これら重要な条件の情報漏洩に係る被害を防止することができるようになる。
【００１６】
さらに、一部の機器が盗難の被害にあった場合でも、現地でその他の機器の制御に係る重要な条件の設定変更をすることができるので、重要な条件の情報漏洩に係るそれ以上の被害を防止することができるようになる。
【００１７】
ここで、上記特定情報は、遊技媒体の払い出しもしくは遊技媒体の精算を許容する条件を示す許容情報を含み、上記制御部は、情報媒体処理装置の読み込み部に受け入れた情報媒体から読み込まれた情報と記憶部に記憶された特定情報の許容情報とを比較して、情報媒体から読み込まれた情報が許容情報に基づくものでない場合は、情報媒体を返却して遊技媒体の払い出しもしくは遊技媒体の精算を制限するものであることが好ましい。
【００１８】
このようにすれば、特定情報が、遊技媒体の払い出しもしくは遊技媒体の精算を許容する条件を示す許容情報を含み、受け入れた情報媒体から情報媒体から読み込まれた情報が許容情報に基づくものでない場合は、制御部が情報媒体を返却して遊技媒体の払い出しもしくは遊技媒体の精算を制限するので、情報媒体の偽造や変造に係る被害を防止することができるようになる。
【００１９】
また、上記許容情報は、遊技媒体貸出機もしくは遊技媒体精算機の置かれた店の識別情報を示す店別分類コードを含んでいることが好ましい。
【００２０】
このようにすれば、許容情報が、遊技媒体貸出機もしくは遊技媒体精算機の置かれた店の識別情報を示す店別分類コードを含んでいるので、一つの店で用いている遊技媒体を他の店で使用することができないようにすることができる結果、情報媒体の不正使用に係る被害を防止することができるようになる。
【００２１】
さらに、上記情報媒体処理装置は、情報媒体受け入れ口から受け入れた情報媒体に、記憶部が記憶している特定情報に対応した情報を書き込み可能な書き込み部と、この特定情報に対応した情報を書き込んだ情報媒体を排出可能な排出部とを備え、上記制御部は、情報媒体処理装置の読み込み部に受け入れた情報媒体から読み込まれた情報と記憶部に記憶された許容情報とを比較して、情報媒体から読み込まれた情報が、情報媒体処理装置の書き込み部で書き込まれた特定情報に対応した情報と一致しない場合は、情報媒体を返却して遊技媒体の払い出しもしくは遊技媒体の精算を制限するものであることが好ましい。
【００２２】
このようにすれば、制御部が、情報媒体処理装置の読み込み部に受け入れた情報媒体から読み込まれた情報と記憶部に記憶された許容情報とを比較して、情報媒体から読み込まれた情報が、情報媒体処理装置の書き込み部で書き込まれた特定情報に対応した情報と一致しない場合は、情報媒体を返却して遊技媒体の払い出しもしくは遊技媒体の精算を制限するので、情報媒体についての情報漏洩や、偽造、変造および不正使用などに係る被害をより防止することができるようになる。
【００２３】
また、上記特定情報は、マスター情報媒体が更新されたことを示す更新情報を含み、上記制御部は、情報媒体処理装置の読み込み部に受け入れたマスター情報媒体から読み取られた特定情報の更新情報と記憶部に記憶された特定情報の更新情報とを比較して、読み取られた特定情報の更新情報が、記憶部に記憶された特定情報の更新情報よりも古い情報に基づくものである場合は、読み取られた特定情報を無効にし、記憶部に記憶された特定情報を更新しないものであることが好ましい。
【００２４】
このようにすれば、特定情報が、マスター情報媒体が更新されたことを示す更新情報を含み、読み取られた特定情報の更新情報が、記憶部に記憶された特定情報の更新情報よりも古い情報に基づくものである場合は、受け入れたマスター情報媒体が古いものとみなして読み取られた特定情報を無効にし、記憶部に記憶された特定情報を更新しないので、マスター情報媒体の情報漏洩や、偽造、変造および不正使用などに係る被害を防止することができるようになる。
【００２５】
また、上記制御部は、情報媒体処理装置の読み込み部に受け入れたマスター情報媒体の特定情報を読み込んでから経過した時間を計数する計時手段を備え、この計時手段の計数した時間が所定の時間を超えた場合は、再び、情報媒体処理装置の読み込み部に受け入れたマスター情報媒体からの特定情報の読み込みが無い限り、情報媒体を返却して遊技媒体の払い出しもしくは遊技媒体の精算を制限するものであることが好ましい。
【００２６】
このようにすれば、制御部の計時手段が計数した時間が所定の時間を超えた場合は、再び、情報媒体処理装置の読み込み部に受け入れたマスター情報媒体からの特定情報の読み込みが無い限りは、情報媒体を返却して遊技媒体の払い出しもしくは遊技媒体の精算を制限するので、情報媒体およびマスター情報媒体についての情報漏洩や、偽造、変造および不正使用などに係る被害をより防止することができるようになる。
【００２７】
また、紙幣を受け入れる紙幣受け入れ口を有して受け入れた紙幣を識別可能な紙幣識別装置を備え、上記制御部は、この紙幣識別装置をさらに制御するものであり、上記特定情報は、上記制御部が制御する紙幣識別装置の構成に係る情報を含んでいることが好ましい。
【００２８】
このようにすれば、制御部が、紙幣識別装置をさらに制御するものであり、特定情報が、制御部が制御する紙幣識別装置の構成に係る情報を含んでいるので、マスター情報媒体を介して紙幣識別装置の重要な条件の設定を行うことができるようになる。その結果、現地で定期的に店舗情報、管理情報などの特定情報に基づいて、制御に係る重要な条件の設定変更を行うことにより、これら重要な条件の情報漏洩に係る被害を防止することができるようになる。
【００２９】
また、一部の機器が盗難の被害にあった場合でも、現地でその他の機器の条件の設定変更をすることができるので、重要な条件の情報漏洩に係るそれ以上の被害を防止することができるようになる。
【００３０】
また、現地における装置構成の変更が容易になるとともに、個別の機器の汎用性を著しく高めることができるようになる。
【００３１】
そして、情報媒体は、ＩＣコイン、ＩＣカード、磁気カード、のいずれかであることが好ましい。
【００３２】
このようにすれば、情報媒体が、ＩＣコイン、ＩＣカード、磁気カード、のいずれかであるので、ＩＣコイン処理装置など、これらの一般に広く採用されている情報媒体処理装置を備えた遊技媒体貸出機もしくは遊技媒体精算機において、現地で制御に係る重要な条件の設定変更を行うことにより、これら重要な条件の情報漏洩に係る被害を防止することができるようになる。
【００３３】
また、一部の機器が盗難の被害にあった場合でも、現地でその他の機器の条件の設定変更をすることができるので、重要な条件の情報漏洩に係るそれ以上の被害を防止することができるようになる。
【００３４】
また、現地における情報媒体処理装置を含めた装置構成の変更が容易になるとともに、情報媒体処理装置を含めた個別の機器の汎用性を著しく高めることができるようになる。
【発明の効果】
【００３５】
以上説明したように、本発明によれば、あらかじめ工場などで制御に係る条件の設定を行う必要がなくなり、各機器が設置された現地において、マスター情報媒体を介してこれらの制御に係る条件の設定を行うことができるようになる。
【００３６】
その結果、個別の機器の汎用性を著しく高めることができるようになり、現地における装置構成の変更が容易になる。
【００３７】
また、現地において制御に係る条件の設定を行うことができるようになる結果、現地で定期的に店舗情報、管理情報などの特定情報に基づいて、制御に係る重要な条件の設定変更を行うことにより、これら重要な条件の情報漏洩に係る被害を防止することができるようになる。
【００３８】
さらに、一部の機器が盗難の被害にあった場合でも、現地でその他の機器の制御に係る重要な条件の設定変更をすることができるので、重要な条件の情報漏洩に係るそれ以上の被害を防止することができるようになる。
【発明を実施するための最良の形態】
【００３９】
以下、添付図面を参照しながら本発明の好ましい実施の一形態について詳述する。図１は、本発明の実施の形態に係る遊技媒体貸出機２０の構成を示す斜視図であり、図２は、遊技媒体貸出機２０の制御の構成を示すブロック図である。
【００４０】
図１に示すように、本発明の実施の形態に係る遊技媒体貸出機２０は、例えばゲームセンターのスロットマシンなどの遊技機に併設され、ＩＣタグを担持してなる情報媒体１と交換に図略の遊技媒体を貸し出す直方体状の装置であり、情報媒体１に情報を読み書き可能な情報媒体処理装置１０と、遊技媒体を払い出す遊技媒体払出部２１と、遊技媒体払出部２１が遊技媒体を１バッチ分だけ払い出すように要求する遊技媒体払い出しボタン２２と、遊技を終了して情報媒体１の返却を要求する精算ボタン２３と、紙幣３を識別可能な紙幣識別装置３０とを備えている。
【００４１】
また、この遊技媒体貸出機２０は、図２に示すように、これら遊技媒体払い出しボタン２２の信号と、精算ボタン２３の信号とを受信するとともに情報媒体処理装置１０と、遊技媒体払出部２１と、紙幣識別装置３０とを制御する制御部２５と、この制御部２５の制御に係る情報を記憶する記憶部２６とを備え、制御部２５と記憶部２６とは、制御ボックス２７の中に収容されている。
【００４２】
上記情報媒体処理装置１０は、情報媒体１を受け入れる情報媒体受け入れ口４と、情報媒体１に記憶された情報を読み込み書き込み可能なＩＣコインリーダーライター部５（読み込み部、書き込み部に相当するもので情報媒体処理装置１０の中に内蔵されている）と、特定情報に対応した情報を書き込んだ情報媒体１が排出される排出部６と、受け入れた情報媒体１を一時保留可能な図略のＩＣコイン保留部７（情報媒体処理装置１０の中に内蔵されている）とを備えている。
【００４３】
上記情報媒体１は、いわゆるＩＣタグをその構造中に担持してなるコイン状の情報を記憶した情報媒体１であり、このＩＣタグにコインの価値に係る情報を記録することが可能になっている。そして、遊技場において、貨幣の代用として図略の遊技媒体と交換することができる。本実施形態においては、この情報媒体１は、スロットマシンの遊技媒体である図略のメダルと交換され、このメダルを遊技媒体貸出機２０に隣接する図外の遊技機に投入することにより利用者はスロットマシンの遊技を行うことができるようになる。
【００４４】
この情報媒体処理装置１０は、また、特定情報が書き込まれたマスター情報媒体２を受け入れて、このマスター情報媒体２の特定情報を読み込み部であるＩＣコインリーダーライター部５において読み取ることができるように構成されている。
【００４５】
上記マスター情報媒体２は、情報媒体１と同様、ＩＣタグをその構造中に担持してなるコイン状の情報を記憶した情報媒体であり、このマスター情報媒体２に書き込まれた特定情報には、マスター情報媒体２が更新されたことを示す更新情報と、遊技媒体の払い出しを許容する条件を示す許容情報とが含まれている。また、この許容情報には、遊技媒体貸出機２０の置かれた店の識別情報を示す店別分類コードが含まれている。
【００４６】
そして、この読み込み部において読み取られた特定情報は、記憶部２６に記憶されるようになっている。
【００４７】
上記情報媒体受け入れ口４は、情報媒体１を情報媒体処理装置１０に受け入れるためのスリット状の開口である。
【００４８】
上記ＩＣコインリーダーライター部５は、ここで情報媒体１を一時留め置き、この位置で電磁気的な通信手段により情報媒体１と非接触状態で通信を行うものである。
【００４９】
このＩＣコインリーダーライター部５は、情報媒体１にコインの価値の残高に係る情報を電磁気的に読み書きすることができるようになっている。
【００５０】
また、このＩＣコインリーダーライター部５は、情報媒体受け入れ口４から受け入れた情報媒体１に、記憶部２６が記憶しているマスター情報媒体２の特定情報に対応した情報を書き込み可能に構成されている。
【００５１】
上記排出部６は、ＩＣコイン保留部７からの釣銭の代替品としての情報媒体１を利用者に返却するために用いられる開口であり、ＩＣコインリーダーライター部５で残高の情報が書き込まれた情報媒体１を利用者に返却する。
【００５２】
この時、この排出部６からは、特定情報に対応した情報を書き込んだ情報媒体１が排出される。
【００５３】
また、この排出部６は、不良ＩＣコインを返却するためにも用いられるようになっている。
【００５４】
上記ＩＣコイン保留部７は、残高がない情報媒体１を図外のＩＣコイン回収部へ回収する前に一時保留するためのものである。また、このＩＣコイン保留部７は、紙幣３を受け入れた時の釣銭の代替品として、残高を書き込んだ情報媒体１を利用者に返却するために情報媒体１を少なくとも１個は、あらかじめ保留することができるようになっている。
【００５５】
そして、このＩＣコイン保留部７は、紙幣識別装置３０に紙幣３の受け入れがあった場合、遊技の終了に際して、ＩＣコイン保留部７に保持された釣銭の代替品としての情報媒体１を、ＩＣコイン保留部７からＩＣコインリーダーライター部５へと押し出すことができるようになっている。
【００５６】
上記遊技媒体払出部２１は、情報媒体１もしくは紙幣３の受け入れに基づいて、遊技媒体を利用者に供給するための供給装置である。本実施形態では、遊技媒体払出部２１は、図外の遊技媒体貯留部から遊技媒体を受け入れるとともに、ノズルシュート２１ａから払い出すように構成されている。
【００５７】
上記遊技媒体払い出しボタン２２は、遊技媒体払出部２１が遊技媒体を払い出すように要求する遊技媒体払い出し要求信号を制御部２５に対して発生させるものであり、情報媒体１もしくは紙幣３の受け入れの後、この遊技媒体払い出しボタン２２が押されて遊技媒体払い出し要求信号を発生させると、遊技媒体払出部２１が所定の１バッチ分だけ遊技媒体を払い出すようになっている。
【００５８】
上記精算ボタン２３は、遊技を終了して情報媒体１の返却を要求するＩＣコイン返却要求信号を発生させるものである。
【００５９】
上記紙幣識別装置３０は、紙幣３の真偽と金種判定を光学センサーや磁気センサー等の識別センサーからの情報によって識別することができるように構成された装置であり、紙幣３を受け入れるためのスリット状の開口である紙幣３受け入れ口３１を有している。この紙幣識別装置３０としては、高額紙幣に対応した新しいものが採用されている。
【００６０】
上記制御部２５は、情報媒体処理装置１０と、遊技媒体払出部２１と、紙幣識別装置３０とを制御する論理演算回路であり、本実施形態では、マイクロコンピュータで構成されている。そして、この制御部２５は、情報媒体処理装置１０の読み込み部であるＩＣコインリーダーライター部５に受け入れたマスター情報媒体２の特定情報を読み込んでから経過した時間を計数する計時手段を備えている。
【００６１】
上記記憶部２６は、上述の制御部２５の制御に係る情報を記憶するものであり、マイクロコンピュータに付属するハードディスクなどの記憶装置で構成されている。
【００６２】
次に図１と図２とを参照して、本発明の実施の形態に係る遊技媒体貸出機２０の制御部２５の制御と作用について説明する。
【００６３】
まず、情報媒体処理装置１０は、遊技媒体貸出機２０の初期設定にあたって、特定情報が書き込まれたマスター情報媒体２を受け入れて、このマスター情報媒体２の特定情報をＩＣコインリーダーライター部５において読み取る。
【００６４】
この時、制御部２５は、情報媒体処理装置１０の読み込み部に受け入れたマスター情報媒体２から読み取られた特定情報の更新情報と記憶部２６に記憶された特定情報の更新情報とを比較して、読み取られた特定情報の更新情報が、記憶部２６に記憶された特定情報の更新情報よりも古い情報に基づくものである場合は、読み取られた特定情報を無効にし、記憶部２６に記憶された特定情報を更新しない。
【００６５】
そして、制御部２５が、特定情報に含まれる制御に係る条件に基づいて所定の制御を行う。
【００６６】
以下、遊技媒体貸出機２０において情報媒体処理装置１０の情報媒体受け入れ口４から情報媒体１が受け入れられた場合と、紙幣識別装置３０において紙幣３受け入れ口３１から遊技媒体貸出機２０に紙幣３が受け入れられた場合について説明する。
【００６７】
まず、情報媒体受け入れ口４から情報媒体１が受け入れられた場合は、次の通りである。
【００６８】
すなわち、情報媒体１が受け入れられた後、遊技媒体払い出しボタン２２において遊技媒体払い出し要求信号が発生すると、そのつど記憶部２６に記憶されたコインの価値に係る情報が確認され、この残高が遊技媒体の払い出しに足る間は、所定枚数の遊技媒体が遊技媒体払出部２１から払い出される。そして、記憶部２６に記憶されたコインの価値の残高は、払い出した遊技媒体の価額に相当する分だけ減額されていく。
【００６９】
また、遊技の終了に際して、利用者によって精算ボタン２３が押され、コイン返却要求信号が発生したならば、これに対応して、ＩＣコインリーダーライター部５が、コインの価値の残高に係る情報を情報媒体１に書き込み、価値の残高の情報が書き込まれた情報媒体１が重力で下方に設けられた排出部６から排出されて、利用者に返却される。
【００７０】
なお、情報媒体１の留め置きの段階で、コインの価値の残高がもし０以下になったならば、ＩＣコインリーダーライター部５からＩＣコイン保留部７に情報媒体１を回収する。
【００７１】
また、ＩＣコイン保留部７が満杯になった場合は、余剰の情報媒体１を図外のＩＣコイン回収部へ回収し、貯留する。
【００７２】
次に、紙幣識別装置３０において紙幣３受け入れ口３１から遊技媒体貸出機２０に紙幣３が受け入れられた場合は以下の通りである。
【００７３】
すなわち、紙幣３が受け入れられた後、紙幣識別装置３０がイメージスキャニングなどの画像処理により受け入れた紙幣３の価額を識別し、識別した紙幣３の価値に係る情報が、記憶部２６に記憶される。
【００７４】
この状態で、遊技媒体払い出しボタン２２における遊技媒体払い出し要求信号が発生したら、記憶部２６に記憶された価値に係る情報を確認し、この価値の残高が遊技媒体の払い出しに足る間は、情報媒体１が受け入れられた場合と同様に、遊技媒体払い出し要求信号が発生する度に、所定枚数の遊技媒体を遊技媒体払出部２１から払い出す。
【００７５】
また、記憶部２６に記憶された価値の残高を払い出した遊技媒体の価額に相当する分だけ減額する。
【００７６】
そして、紙幣３が受け入れられた場合であっても、遊技の終了に際して、利用者によって精算ボタン２３が押され、コイン返却要求信号が発生したならば、これに対応して、ＩＣコイン保留部７に保留された情報媒体１の１つをＩＣコインリーダーライター部５に排出し、残高の情報を書き込んで排出部６から利用者に返却する。
【００７７】
このように、遊技媒体貸出機２０により情報媒体１または紙幣３が、貨幣の代用として遊技媒体であるメダルと交換される。そして、このメダルを遊技媒体貸出機２０に隣接する図略の遊技機に投入することにより利用者はスロットマシンなどの遊技を行うことができるようになる。
【００７８】
なお、この時、制御部２５は、情報媒体処理装置１０の読み込み部に受け入れた情報媒体１から読み込まれた情報と記憶部２６に記憶された特定情報の許容情報とを比較して、情報媒体１から読み込まれた情報が許容情報に基づくものでない場合は、情報媒体１を排出部６から返却して遊技媒体の払い出しを制限する。
【００７９】
また、本実施形態では、特に、情報媒体処理装置１０の読み込み部に受け入れた情報媒体１から読み込まれた情報と記憶部２６に記憶された許容情報とを比較して、情報媒体１から読み込まれた情報が、情報媒体処理装置１０の書き込み部で書き込まれた特定情報に対応した情報と一致しない場合は、情報媒体１を返却して遊技媒体の払い出しもしくは遊技媒体の精算を制限するようにも構成されている。
【００８０】
さらに、制御部２５は、計時手段の計数した時間が所定の時間を超えた場合は、再び、情報媒体処理装置１０の読み込み部に受け入れたマスター情報媒体２からの特定情報の読み込みが無い限り、情報媒体１を返却して遊技媒体の払い出しもしくは遊技媒体の精算を制限するようになっている。
【００８１】
以上説明したように、本発明の実施の形態に係る遊技媒体貸出機２０によれば、情報媒体処理装置１０の読み込み部がマスター情報媒体２の特定情報を読み取り、記憶部２６が読み取られた特定情報を記憶する。そして、制御部２５が、この記憶された特定情報に基づいて遊技媒体貸出機２０もしくは遊技媒体精算機の制御を行うので、あらかじめ工場などで制御に係る条件の設定を行う必要がなくなり、各機器が設置された現地において、マスター情報媒体２を介してこれらの制御に係る条件の設定を行うことができるようになる。
【００８２】
その結果、個別の機器の汎用性を著しく高めることができるようになり、現地における装置構成の変更が容易になる。
【００８３】
例えば、図３は、遊技媒体貸出機２０に改造する前の遊技媒体貸出機４０の構成を示す斜視図である。図３に示すような、もともと情報媒体処理装置１０を外した遊技媒体貸出機４０に、現地で情報媒体処理装置１０を追加し、制御ボックス２７ａを新しい制御ボックス２７に取り替えて、図１の遊技媒体貸出機２０のように変更することが容易になる。
【００８４】
また、図４は、遊技媒体貸出機２０に改造する前の遊技媒体貸出機５０の構成を示す斜視図である。図４に示すような、もともと低額の紙幣３ａを扱うタイプの紙幣識別装置３０ａを備えた遊技媒体貸出機５０を、現地で高額の紙幣３を扱うタイプの紙幣識別装置３０に取替え、かつ制御ボックス２７ｂを新しい制御ボックス２７に取り替えて、図１の遊技媒体貸出機２０のように変更することが容易になる。
【００８５】
次に、現地において制御に係る条件の設定を行うことができるようになる結果、現地で定期的に店舗情報、管理情報などの特定情報に基づいて、制御に係る重要な条件の設定変更を行うことにより、これら重要な条件の情報漏洩に係る被害を防止することができるようになる。
【００８６】
また、一部の機器が盗難の被害にあった場合でも、現地でその他の機器の制御に係る重要な条件の設定変更をすることができるので、重要な条件の情報漏洩に係るそれ以上の被害を防止することができるようになる。
【００８７】
さらに、特定情報が、遊技媒体の払い出しもしくは遊技媒体の精算を許容する条件を示す許容情報を含み、受け入れた情報媒体１から情報媒体１から読み込まれた情報が許容情報に基づくものでない場合は、制御部２５が情報媒体１を返却して遊技媒体の払い出しもしくは遊技媒体の精算を制限するので、情報媒体１の偽造や変造に係る被害を防止することができるようになる。
【００８８】
特に、許容情報が、遊技媒体貸出機２０もしくは遊技媒体精算機の置かれた店の識別情報を示す店別分類コードを含んでいるので、一つの店で用いている遊技媒体を他の店で使用することができないようにすることができる結果、情報媒体１の不正使用に係る被害を防止することができるようになる。
【００８９】
また、制御部２５が、情報媒体処理装置１０の読み込み部に受け入れた情報媒体１から読み込まれた情報と記憶部２６に記憶された許容情報とを比較して、情報媒体１から読み込まれた情報が、情報媒体処理装置１０の書き込み部で書き込まれた特定情報に対応した情報と一致しない場合は、情報媒体１を返却して遊技媒体の払い出しもしくは遊技媒体の精算を制限するので、情報媒体１についての情報漏洩や、偽造、変造および不正使用などに係る被害をより防止することができるようになる。
【００９０】
また、特定情報が、マスター情報媒体２が更新されたことを示す更新情報を含み、読み取られた特定情報の更新情報が、記憶部２６に記憶された特定情報の更新情報よりも古い情報に基づくものである場合は、受け入れたマスター情報媒体２が古いものとみなして読み取られた特定情報を無効にし、記憶部２６に記憶された特定情報を更新しないので、マスター情報媒体２の情報漏洩や、偽造、変造および不正使用などに係る被害を防止することができるようになる。
【００９１】
さらに、制御部２５の計時手段が計数した時間が所定の時間を超えた場合は、再び、情報媒体処理装置１０の読み込み部に受け入れたマスター情報媒体２からの特定情報の読み込みが無い限りは、情報媒体１を返却して遊技媒体の払い出しもしくは遊技媒体の精算を制限するので、情報媒体１およびマスター情報媒体２についての情報漏洩や、偽造、変造および不正使用などに係る被害をより防止することができるようになる。
【００９２】
そして、制御部２５が、紙幣識別装置３０をさらに制御するものであり、特定情報が、制御部２５が制御する紙幣識別装置３０の構成に係る情報を含んでいるので、マスター情報媒体２を介して紙幣識別装置３０の重要な条件の設定を行うことができるようになる。その結果、現地で定期的に店舗情報、管理情報などの特定情報に基づいて、制御に係る重要な条件の設定変更を行うことにより、これら重要な条件の情報漏洩に係る被害を防止することができるようになる。
【００９３】
また、一部の機器が盗難の被害にあった場合でも、現地でその他の機器の条件の設定変更をすることができるので、重要な条件の情報漏洩に係るそれ以上の被害を防止することができるようになる。
【００９４】
また、現地における装置構成の変更が容易になるとともに、個別の機器の汎用性を著しく高めることができるようになる。
【００９５】
また、情報媒体１が、ＩＣコインであるので、ＩＣコイン処理装置を備えた遊技媒体貸出機２０において、現地で制御に係る重要な条件の設定変更を行うことにより、これら重要な条件の情報漏洩に係る被害を防止することができるようになる。
【００９６】
また、一部の機器が盗難の被害にあった場合でも、現地でその他の機器の条件の設定変更をすることができるので、重要な条件の情報漏洩に係るそれ以上の被害を防止することができるようになる。
【００９７】
また、現地における情報媒体処理装置１０を含めた装置構成の変更が容易になるとともに、情報媒体処理装置１０を含めた個別の機器の汎用性を著しく高めることができるようになる。
【００９８】
上述した実施の形態は本発明の好ましい具体例を例示したものに過ぎず、本発明は上述した実施の形態に限定されない。
【００９９】
例えば、本発明の実施の形態に係る遊技媒体貸出機２０は、スロットマシンなどの遊技機に併設されるものに限らない。パチンコ、その他ゲームセンターの遊技機に併設することが可能であるし、また遊戯媒体精算機に適用することも可能である。
【０１００】
また、本実施形態においては、情報媒体１は、遊技媒体としてのメダルと交換されるようになっているが、遊技媒体の構成は本発明を限定するものではなく、ボール、チップ、パチンコ玉、その他どのような遊技媒体も採用可能である。
【０１０１】
本実施形態においては、ＩＣコイン保留部７は、釣銭の代替品として残高の情報を書き込み可能な情報媒体１を情報媒体処理装置１０内にあらかじめ保留することができるようになっているが、紙幣３を受け入れた場合、情報媒体１の代わりに現金で釣銭を返却するように構成することも可能である。
【０１０２】
また、本実施形態においては、紙幣３の真偽と金種判定を光学センサーや磁気センサー等の識別センサーからの情報によって識別することができる紙幣識別装置３０を備えているが、紙幣識別装置３０は必ずしも必須でなく、情報媒体１だけを受け入れるように構成してもよい。
【０１０３】
また、情報媒体処理装置１０においては、さらに小型化を図ることもできる。
【０１０４】
その他、本発明の特許請求の範囲内で種々の設計変更が可能であることはいうまでもない。
【図面の簡単な説明】
【０１０５】
【図１】本発明の実施の形態に係る遊技媒体貸出機の構成を示す斜視図である。
【図２】本発明の実施の形態に係る遊技媒体貸出機の制御の構成を示すブロック図である。
【図３】本発明の実施の形態に係る遊技媒体貸出機に改造する前の遊技媒体貸出機の構成を示す斜視図である。
【図４】本発明の実施の形態に係る遊技媒体貸出機に改造する前の遊技媒体貸出機の構成を示す斜視図である。
【符号の説明】
【０１０６】
１    情報媒体１（ＩＣコイン）
２    マスター情報媒体
４    情報媒体受け入れ口
５    ＩＣコインリーダーライター部（読み込み部、書き込み部）
６    排出部
１０  情報媒体処理装置
２０  遊技媒体貸出機
２５  制御部
２６  記憶部
３０  紙幣識別装置
３１  紙幣受け入れ口
【図１】
2007135889.tif 000003
【図２】
2007135889.tif 000004
【図３】
2007135889.tif 000005
【図４】
2007135889.tif 000006